(57)【要約】【課題】レンチキュラーレンズを通して見た場合の形態変化に富み、その形態変化に意外性がある置物玩具を提供すること。【解決手段】液体を充填させたケースと、液体中で遊泳可能な遊泳体と、を備え、ケースの前壁が透明で表面がレンチキュラーレンズとなっており、遊泳体にはストライプ状の絵柄が形成され、レンチキュラーレンズを通して遊泳するストライプ状の絵柄を見るように構成することによって、絵柄の形態変化を楽しめるようにした。【選択図】  図１
2011200506.tif 000002
【特許請求の範囲】
【請求項１】
液体を充填させたケースと、
前記液体中で遊泳可能な遊泳体と、
を備え、
前記ケースは、少なくとも一部が透明であり、その透明な部分の表面の少なくとも一部は、細長い凸レンズを一定ピッチで並設してなるレンチキュラーレンズとなっており、
前記遊泳体には絵柄が形成され、この絵柄は前記一定ピッチでインターレース状に複数並べられた短冊状絵柄部分で構成され、
前記ケースの外部から前記レンチキュラーレンズを通して前記絵柄を視認し得るように構成されている
ことを特徴とする置物玩具。
【請求項２】
前記液体の流れを形成するための液流形成手段を備えることを特徴とする請求項１に記載の置物玩具。
【請求項３】
前記遊泳体の表面には、変化の前後に亘る前記絵柄が複数形成され、この複数の絵柄の間では、互いに、前記短冊状絵柄部分の位相がずらしてあることを特徴とする請求項１又は２に記載の置物玩具。
【請求項４】
前記遊泳体は、静止する前記液体中に置かれた場合に、前記短冊状絵柄部分の並び方向が上下方向となるように構成されていることを特徴とする請求項１から３いずれか一項に記載の置物玩具。
【発明の詳細な説明】
【技術分野】
【０００１】
本発明は、レンチキュラーレンズを通して見ることによって形態変化を楽しむことができる置物玩具に関するものである。
【背景技術】
【０００２】
レンチキュラーレンズとは、シリンドリカル状の細長い凸レンズを一定方向に所定ピッチで並設してなるものである。このレンチキュラーレンズを用いた玩具としては、従来、次のような玩具が知られている。
第１の玩具は、レンチキュラーレンズをケースに対して上下動可能に設置し、このレンチキュラーレンズを上下方向に移動させるもの（特許文献１）である。
第２の玩具は、外表面にレンチキュラーレンズを設置し、インターレース状に並べた複数の短冊状絵柄部分からなる複数の絵柄が描かれたシートをレンチキュラーレンズの裏面側に装着したもの（特許文献２）である。
他方、液体中で魚模型（遊泳体）を磁力作用によって遊泳させる水中磁力線作動玩具も知られている（特許文献３）。
【先行技術文献】
【特許文献】
【０００３】
【特許文献１】実用新案登録第３０３３６３６号公報
【特許文献２】特開平１０−３２７９２５号公報
【特許文献３】実公平５−１５３５９号公報
【発明の概要】
【発明が解決しようとする課題】
【０００４】
上記特許文献１に開示された玩具は、レンチキュラーレンズの移動によってキューブの絵柄が振動するのを見て楽しむものであるが、絵柄自体は変化せず、絵柄が細かく振動するだけであるので、形態変化に乏しいものであった。
また、特許文献２に開示された玩具は、レンチキュラーレンズに対して見る角度を変化させて絵柄が変化するのを見て楽しむものであるが、決まり切った絵柄の間で形態が整然と変化するのみで、形態変化の意外性に乏しいものであった。
また、特許文献３に開示された玩具は、魚模型が液体中を遊泳するのを見て楽しむものであるが、魚模型自体の移動はあるものの、魚模型の形態が大きくは変化しないため、やはり、形態変化の意外性に乏しいものであった。
【０００５】
本発明は、レンチキュラーレンズを通して見た場合の形態変化に富み、その形態変化に意外性がある置物玩具を提供することを目的とする。
【課題を解決するための手段】
【０００６】
請求項１記載の発明に係る置物玩具は、
液体を充填させたケースと、
前記液体中で遊泳可能な遊泳体と、
を備え、
前記ケースは、少なくとも一部が透明であり、その透明な部分の表面の少なくとも一部は、細長い凸レンズを一定ピッチで並設してなるレンチキュラーレンズとなっており、
前記遊泳体には絵柄が形成され、この絵柄は前記一定ピッチでインターレース状に複数並べられた短冊状絵柄部分で構成され、
前記ケースの外部から前記レンチキュラーレンズを通して前記絵柄を視認し得るように構成されている
ことを特徴とする。
【０００７】
請求項２記載の発明に係る置物玩具は、請求項１に記載の置物玩具において、前記液体の流れを形成するための液流形成手段を備えることを特徴とする。
【０００８】
請求項３記載の発明に係る置物玩具は、請求項１又は２に記載の置物玩具において、  前記遊泳体の表面には、変化の前後に亘る前記絵柄が複数形成され、この複数の絵柄の間では、互いに、前記短冊状絵柄部分の位相がずらしてあることを特徴とする。
【０００９】
請求項４記載の発明に係る置物玩具は、請求項１から３いずれか一項に記載の置物玩具において、前記遊泳体は、静止する前記液体中に置かれた場合に、前記短冊状絵柄部分の並び方向が上下方向となるように構成されていることを特徴とする。
【発明の効果】
【００１０】
請求項１の置物玩具によれば、遊泳体が液体中で遊泳したとき、レンチキュラーレンズを通して見る絵柄は、刻々変化することになる。例えば、レンチキュラーレンズの凸レンズの延在方向と、短冊状絵柄部分の延在方向とが合致する時には、視覚上で、絵柄が消失したり、出現したりする。また、凸レンズの延在方向と、短冊状絵柄部分の延在方向とが合致しない時には、視覚上で、崩れた絵柄が出現する。すなわち、遊泳体が液体中で方向性なく遊泳した際には、視覚上で、絵柄が突然崩れたり、出現したり、消失したりする。この順番は遊泳体の遊泳状況によって変化する。
よって、形態変化に富むとともに、意外性のある形態変化を行う置物玩具が実現できることになる。
なお、複数の遊泳体に同一絵柄を担持させておくことも可能である。この場合、視覚上で消失した絵柄が突然他の場所から出現したり、同時に同じ絵柄が見え隠れしたりするので、さらに、全体としての形態変化の意外性が増すことになる。
【００１１】
請求項２の置物玩具によれば、液流形成手段によって液流を形成することによって、簡単に、液体中で遊泳体を遊泳させることができる。
【００１２】
請求項３の置物玩具によれば、レンチキュラーレンズの凸レンズの延在方向と、短冊状絵柄部分の延在方向とが合致している状態で、凸レンズの延在方向と直交する方向に遊泳体が移動すると、レンチキュラーレンズを通して見た絵柄は２つの絵柄の間で交互に変化する。
【００１３】
請求項４の置物玩具によれば、遊泳体の姿勢が比較的に安定し、レンチキュラーレンズの凸レンズの延在方向と、短冊状絵柄部分の延在方向とが合致する方向に遊動体は姿勢調節されるので、絵柄が整然と形態変化する確率を高めることができる。
【図面の簡単な説明】
【００１４】
【図１】本発明に係る置物玩具の実施形態に係る置物玩具の斜視図である。
【図２】図１の置物玩具のケースの一部を側方から見た場合の断面図である。
【図３】遊泳体に形成される絵柄を説明するための図であり、（Ａ）は海月の第１の姿態の絵柄、（Ｂ）は海月の第２の姿態の絵柄、（Ｃ）は第１の姿態の絵柄と第２の姿態の絵柄とを組み合わせた絵柄である。
【発明を実施するための形態】
【００１５】
以下に、本発明に係る置物玩具の一実施形態について図面を参照しながら説明する。
【００１６】
本実施形態の置物玩具１は、図１に示したように、ケース１０と、このケース１０に充填された液体２０（図２参照）と、前記ケース１０内に設置され前記液体２０中で遊泳可能な遊泳体３０と、前記液体２０の流れを形成する液流形成手段４０と、前記ケース１０を支持する基台５０とを備えている。
【００１７】
ケース１０は扁平な箱状に形成されている。このケース１０は基台５０に起立状態で支持されている。すなわち、ケース１０は、大きな面（主面）が正面を向き且つ奥行き寸法が小さくなるように、基台５０に支持されている。この場合の奥行き寸法は、遊泳体３０が前後に倒れない程度とすることが好ましい。
ケース１０の少なくとも前壁１１は、ガラス又はアクリル樹脂等からなる透明板から構成されている。全ての壁が透明板で構成されていてもよいし、前壁１１の一部が透明となっていてもよい。
ケース１０の前壁１１の表面にはレンチキュラーレンズ１１ａが形成されている。レンチキュラーレンズ１１ａは、シリンドリカル状の細長い凸レンズを一定のピッチで並設して構成されるものである。実施形態の置物玩具１の場合、レンチキュラーレンズ１１ａは、細長い凸レンズが上下方向に一定のピッチで並ぶように前壁１１の表面に形成されている。このレンチキュラーレンズ１１ａの形成にあたっては、ケース１０の前壁１１と一体にレンチキュラーレンズ１１ａを成型してもよいし、前壁１１の基体にレンチキュラーレンズ１１ａを形成したシートを貼り付けてもよい。
また、ケース１０の後壁１２の内側には、遊泳体３０の遊泳場所の背景を構成する海底の絵柄１３、例えば岩や海草の絵柄が形成されている。この絵柄１３の形成にあたっては、ケース１０の後壁１２の内面に絵柄１３を直接描いてもよいし、絵柄１３が予め描かれたシートを後壁１２の内面に貼り付けてもよいし、また、絵柄１３が予め描かれた板を後壁１２の前に設置してもよい。さらには、ケース１０の後壁１２も透明板とし、その後面に絵柄１３を形成してもよい。
また、ケース１０の上壁には、液体２０の給排口が形成され、この給排口にはキャップ１４が着脱自在に装着されている。
【００１８】
液体２０としては、水，油等が充填されている。
【００１９】
遊泳体３０は、例えば、円形又は楕円形の合成樹脂製の平板によって形成されている。この遊泳体３０は、他の平面的形状であってもよいし、立体形象物であってもよい。
この遊泳体３０は、後述する「海月（くらげ）」の絵柄３１を担持している。この絵柄３１は、遊泳体３０の表面に絵柄３１を直接描いたものでもよいし、絵柄３１が予め描かれたシートを遊泳体３０の表面に貼り付けたものであってもよい。或いは、遊泳体３０を前後２枚の平板を貼り合わせることによって形成し、このうち前側の平板を透明とし、その２枚の平板の間で絵柄３１を挟み込んだものであってもよい。さらには、絵柄３１は、遊泳体３０を透明板とし、その後面に形成したものであってもよい。
この遊泳体３０は、液体２０よりも僅かに大きい比重であり、液体２０中に入れた際に自然状態では沈下し、液流がある場合には液体２０の中を遊泳する程度の比重を有することが好ましい。  
また、遊泳体３０は、静止する液体２０中に置かれた場合に、後述の短冊状絵柄部分の並び方向が上下方向となるように、形状及び重心位置が調整されている。この場合、必要があれば、遊泳体３０に重りを設けてもよい。
【００２０】
続いて、遊泳体３０が担持する絵柄３１について説明する。
遊泳体３０が担持する絵柄３１は、縦方向に伸びた「海月」の姿態を示すストライプ状の絵柄３１ａ（図３（Ａ））と、縦方向に縮んだ「海月」の姿態を示すストライプ状の絵柄３１ｂ（図３（Ｂ））とを一部重ね合わせるようにして合成した絵柄となっている。
まず、絵柄３１ａについて説明すれば、絵柄３１ａは、図３（Ａ）に示すように、短冊状絵柄部分を、レンチキュラーレンズ１１ａの凸レンズの並設ピッチと同じピッチでインターレース状に並設することによって形成されている。同様に、絵柄３１ｂは、図３（Ｂ）に示すように、短冊状絵柄部分を、凸レンズの並設ピッチと同じピッチでインターレース状に並設することによって形成されている。そして、この２つの絵柄３１ａ，３１ｂをピッチの１／２だけ位相がずれるようにして一部重ね合わせた状態で合成することによって、絵柄３１（図３（Ｃ））を形成している。
なお、ここでは１つの遊泳体３０に２つのストライプ状の絵柄３１ａ，３１ｂを形成したが、３つ以上のストライプ状の絵柄を形成してもよい。この場合、３つ以上のストライプ状の絵柄を形成する場合には、全てのストライプ状の絵柄の短冊状絵柄部分の並設ピッチを同じにするとともに、重ね合わせ数をＮとした場合、１／Ｎピッチずつ位相をずらすように、ストライプ状の絵柄を形成することが好ましい。このようにして３つ以上のストライプ状の絵柄を形成する場合には、２つの場合と比較して、絵柄の変化の過程をより繊細に表現できることになる。
【００２１】
次に、液流形成手段４０について説明する。
液流形成手段４０は、基台５０の前壁に付設されたベローズ（操作部）４１を備えている。ベローズ４１の基端側は基台５０に取り付けられている。このベローズ４１の基端側は、パイプ４２の一端に連結され、このパイプ４２の他端はケース１０の底壁（図示せず）に連結されている。これによって、ベローズ４１の内部とケース１０の内部がパイプ４２を介して連通され、ベローズ４１の内部はケース１０に充填された液体２０で満たされることになる。その結果、ベローズ４１を縮めることによって、ベローズ４１から液体２０が押し出され、パイプ４２を介してケース１０に液体２０が噴出されることとなり、ケース１０内の液体２０に流れを生じさせることができる。また、縮んだベローズ４１から手を離せば、液体２０が一時的にベローズ４１内に流れてベローズ４１が元の状態に戻る。この際にも、ケース１０内の液体２０に流れを生じさせることができる。
なお、液体２０を循環させる方式に代えて、ベローズによって空気を噴出させる方式を採用することも可能である。
【００２２】
次に、本実施形態の置物玩具１の作用を説明する。
この置物玩具１は、常態では、ケース１０の液体２０がベローズ４１に流入した状態にある。この状態で、ベローズ４１を縮めると、ベローズ４１内の液体２０がケース１０内に噴出する。これによって、ケース１０内の液体２０に流れが発生し、この液体２０の流れによって遊泳体３０が液体２０の中で遊泳する。また、縮んだベローズ４１から手を離すと一時的にベローズ４１に向けて液体２０が逆流する。したがって、ケース１０内には複雑な液体２０の流れが生じ、遊泳体３０の動作は複雑となる。
この場合、レンチキュラーレンズ１１ａを通して遊泳体３０の絵柄３１を観察すると、レンチキュラーレンズ１１ａの凸レンズの延在方向と短冊状絵柄部分の延在方向とが合致したまま、凸レンズの延在方向と直交する方向（上下方向）に遊泳体３０が移動した場合には、上下方向に伸びた「海月」の絵柄（図３（Ａ）参照）と、上下方向に縮んだ「海月」の絵柄（図３（Ｂ）参照）とが選択的に見えることになる。この場合には、「海月」が伸縮しているイメージが醸し出される。
また、凸レンズの延在方向と短冊状絵柄部分の延在方向とが合致しない場合には、「海月」とは判別できないような崩れた絵柄が見えることになる。また、この崩れた絵柄の出現後に、凸レンズの延在方向と短冊状絵柄部分の延在方向とが合致した場合には、上下方向に伸びた「海月」の絵柄（図３（Ａ）参照）又は上下方向に縮んだ「海月」の絵柄（図３（Ｂ）参照）が出現する。この場合には、「海月」の誕生のイメージが醸し出される。
【００２３】
以上、本発明の実施形態について説明したが、本発明は、かかる実施形態に限定されるものではなく、その要旨を逸脱しない範囲で種々変形可能であることは言うまでもない。
【００２４】
例えば、上記実施形態では、液流形成手段４０としてベローズ４１を使用しているが、風船状のゴム嚢を使用することもでき、遊泳体３０に磁性体を配設して磁力作用によって遊泳体３０を遊泳させるようにしてもよい。また、モータを設け、モータ動力によってポンプ、羽根車又はスクリュ等を動作させることによって液流を形成するようにしてもよい。さらに、単に、ケース１０をユーザが振ることによって遊泳体３０を移動させるようにしてもよい。
【符号の説明】
【００２５】
１    置物玩具
１０  ケース
２０  液体
３０  遊泳体
４０  液流形成手段
５０  基台
【図１】
2011200506.tif 000003
【図２】
2011200506.tif 000004
【図３】
2011200506.tif 000005